(57)【要約】【課題】フォーカシングの精度を高め、故障率を低下させることが可能なボイスコイルモータ式フォーカシングアクチュエータを提供する。【解決手段】ボイスコイルモータ式フォーカシングアクチュエータはレンズ装着のために用いられる。内周壁に形成されたスライド部を有する固定フレーム２０、およびそれぞれ固定フレーム２０の両側に設置された二つの磁石Ｍ１を含む固定取付ユニットと、固定フレーム２０の中に穿設された筒体を有するレンズ装着筒３０、レンズ装着のために筒体中に設けられたレンズ取付部、筒体に形成され、固定フレーム２０のスライド部を滑動し挿設することが可能なスライド部、およびレンズ装着筒３０の筒体の両側に設置され、それぞれ固定取付ユニットの各磁石Ｍ１に対応する二つのコイルを含む可動取付ユニットと、固定取付ユニットと可動取付ユニットに弾性支持を提供するための弾性支持ユニットとを備える。【選択図】図４
0003120599.tif 000002
【実用新案登録請求の範囲】
【請求項１】
レンズ装着のためのボイスコイルモータ式フォーカシングアクチュエータにおいて、
内周壁にスライド部を形成する固定フレーム、およびそれぞれ前記固定フレームの両側に設置される二つの磁石を有する固定取付ユニットと、
固定フレーム中に穿設される筒体を有するレンズ装着筒、筒体中に設けられ、レンズ装着のために用いられるレンズ装着部、前記筒体に形成され、前記固定フレームのスライド部を滑動し挿設することができるスライド部、および前記レンズ装着筒の筒体両側に設置され、それぞれ前記固定取付ユニットの各磁石に対応するように設置された二つのコイルを有する可動取付ユニットと、
前記固定取付ユニットおよび可動取付ユニットに弾性支持を提供するために用いられる弾性支持ユニットと、
を備えることを特徴とするボイスコイルモータ式フォーカシングアクチュエータ。
【請求項２】
前記固定フレームに装着され、前記レンズ装着筒に蓋設することが可能な防塵板をさらに備えることを特徴とする請求項１記載のボイスコイルモータ式フォーカシングアクチュエータ。
【請求項３】
レンズ装着のためのボイスコイルモータ式フォーカシングアクチュエータにおいて、
固定フレーム、およびそれぞれ前記固定フレームの両側に設置された二つの磁石を有する固定取付ユニットと、
固定フレーム中に穿設される筒体を有するレンズ装着筒、筒体中に設けられ、レンズ装着のために用いられるレンズ装着部、および前記レンズ装着筒の筒体両側に設置され、それぞれ前記固定取付ユニットの各磁石に対応する二つのコイルを有する可動取付ユニットと、
前記固定取付ユニットおよび可動取付ユニットに弾性支持を提供するために用いられる弾性支持ユニットと、
前記固定フレームに設けられ、前記レンズ装着筒に対応し蓋設された埃防止部を有し、埃または異物の進入を防ぐことが可能である防塵板と、
を備えることを特徴とするボイスコイルモータ式フォーカシングアクチュエータ。
【請求項４】
前記弾性支持ユニットは第１弾性支持部材と第２弾性支持部材とを有することを特徴とする請求項１から３のいずれか一項記載のボイスコイルモータ式フォーカシングアクチュエータ。
【考案の詳細な説明】
【技術分野】
【０００１】
本考案はボイスコイルモータに関し、特にボイスコイルモータ（VCM）式フォーカシングアクチュエータに関する。
【背景技術】
【０００２】
従来のボイスコイルモータ式フォーカシングアクチュエータは、主に固定フレームと、前記固定フレーム内に可動し装着できるレンズ装着筒を備えている。しかしながら、これらのボイスコイルモータ式フォーカシングアクチュエータの構造はあまりにも複雑で、細々とした煩わしい組立て過程と、その組立てに費やす時間の浪費をもたらしていた。さらにこの構造結合の方式は今ひとつであり、構造の安定度を欠くことをも招いていた。このほか、埃等の異物の侵入を容易に受け易いこともあり、ゆえにその改善が待たれていた。
【考案の開示】
【考案が解決しようとする課題】
【０００３】
上述の欠点を鑑み、考案者は苦心の研究を重ね、本考案のボイスコイルモータ式フォーカシングアクチュエータを得るに至った。
本考案の主な目的は、レンズ装着筒が固定フレームに対応しスムースに、そして正確に滑動することができ、フォーカシングの精度を高め、故障率を低下させることが可能なボイスコイルモータ式フォーカシングアクチュエータを提供することである。
【０００４】
本考案の第二の目的は、さらに良好な弾力回復作用を備えるため、レンズ装着筒と固定フレームとの間により良い弾性支持効果を与えるボイスコイルモータ式フォーカシングアクチュエータを提供することである。
本考案のさらにもう一つの目的は、埃または異物の進入を防止できる防塵板を備えることが可能で、映像検知部品に対しより良い防護効果を持つことができるボイスコイルモータ式フォーカシングアクチュエータを提供することである。
【課題を解決するための手段】
【０００５】
前掲の目的を達成するため、本考案が提供するボイスコイルモータ式フォーカシングアクチュエータはレンズ装着のために用いられる。その中に含まれるものとして、内周壁に形成されたスライド部を有する固定フレーム、およびそれぞれ前記固定フレームの両側に設置された二つの磁石を含む固定取付ユニットと、前記固定フレームの中に穿設された筒体を有するレンズ装着筒、レンズ装着のために前記筒体中に設けられたレンズ取付部、前記筒体に形成され、前記固定フレームのスライド部を滑動し挿設することが可能なスライド部、および前記レンズ装着筒の筒体の両側に設置され、それぞれ前記固定取付ユニットの各磁石に対応する二つのコイルを含む可動取付ユニットと、前記固定取付ユニットと可動取付ユニットに弾性支持を提供するための弾性支持ユニットとを備える。
【考案を実施するための最良の形態】
【０００６】
図面と合わせ、以下により好ましい実施の形態を挙げ、本考案の構造、特徴および効果を説明する。
まず、図１から図８を参照すると、本考案のより好ましい実施の形態が提供するボイスコイルモータ式フォーカシングアクチュエータはレンズおよび映像検知部品（図示せず）を装着するために用いられ、以下のものを含む。
【０００７】
保護キャップ１０は、中央位置に逃がし孔１２を形成する底板１１と、前記底板１１の両側に設置された二つの第１側板１３と、前記底板１１の別の両側に設置された二つの第２側板１４と、前記第１側板１３と第２側板１４の側辺がそれぞれ形成する鳩の尾状を呈する嵌合板部１６であり、且つ互いに結合し単設スペースを形成する前記各嵌合板部１６と、内部に前記第１側板１３を形成する端子接続溝１８を備える。
【０００８】
固定フレーム２０は、前記保護キャップ１０中に設置可能で、収容スペース２２を形成するフレーム本体２１と、前記フレーム本体２１の両側に開設された二つの磁気設置部２４と、前記フレーム本体２１の別の二つの側の内周壁に形成された二つのスライド部２６と、前記フレーム本体２１の頭頂部および底部に分布し設けられた８つの連結キャップ２８と、前記フレーム本体２１に設けられた４つの位置決め柱２９を備える。
【０００９】
二つの磁石Ｍ１はそれぞれ前記固定フレーム２０の各磁気設置部２４に放置され、さらに磁石カバー板Ｍ２により前記固定フレーム２０に放置された磁気設置部２４を封設し、対応する各磁石Ｍ１を蓋設する。
前記固定フレーム２０と各磁石Ｍ１は即ち、固定取付ユニットを構成することができる。
レンズ装着筒３０は前記固定フレーム２０中に設けられた筒体３１と、ねじ孔として前記筒体３１に設けられ、レンズ装着のために用いられるレンズ取付部３２と、前記筒体３１に形成され、前記固定フレーム２０の各スライド部２６を滑動し挿設可能な二つのスライド部３４と、前記筒体３１の頭頂部に設置された４つの連結キャップ３８を備える。
【００１０】
二つのコイルＣ１は前記筒体３１の両側に設置され、前記各磁石Ｍ１の内側位置に対応する。
前記レンズ装着筒３０と各コイルＣ１は即ち、可動ユニットを構成することができる。
第１弾性支持部材４０は弾性部４１と、前記固定フレーム２０の各連結キャップ２８を套設することが可能な４つの連結孔４２と、前記連結台座３０の筒体３１に当接可能な連結部４３と、連結部４３の内側中央位置に形成された逃がし孔４４を備える。
【００１１】
二つの第２弾性支持部材５０はそれぞれ弾性部５１と、前記弾性部５１に連接して設けられ、前記フレーム本体２１の各連結キャップ２８に連結することが可能な二つの連結孔５２と、前記レンズ装着筒３０の各連結キャップ３８に連結し、套設することが可能な二つの連結孔５３を備える。前記弾性部５１は前記レンズ装着筒３０が復帰運動を行うために提供される。
【００１２】
前記第１弾性支持部材４０と各第２弾性支持部材５０は弾性支持ユニットを構成することができる。
防塵板７０は逃がし孔７２を形成する板体７１と、前記固定フレーム２０頭頂部の各連結キャップ２８を套設することができる板体７１に形成された４つの連結孔７３と、それぞれ板体７１に設けられ、前記固定フレーム２０の各位置決め柱２９との位置決めを行うことができる４つの位置決め溝７４と、リング筒状を呈し、前記板体７１に連接するように設けられた埃防止部７５を備える。
【００１３】
荷重カバー８０は前記固定フレーム２０に設置され、前記防塵板７０上方に位置し、前記映像検知部品を装着することができるカバー本体８１と、前記カバー本体８１の中央位置に凹設された逃がし孔８２を備える。前記荷重カバー８０は前記保護キャップ１０と荷重カバーユニットを構成することができる。
導接端子９０は前記保護キャップ１０の端子接続溝１８に設けることが可能で、前記各コイルＣ１を接続することにより、電気回路に導接するために用いられる。
【００１４】
本実施の形態の作動は、前記導接端子９０より各コイルＣ１を導通させ、各磁石Ｍ１に対応し磁力作用を生じるというものであり、前記レンズ装着筒３０は即ち、そのスライド部３４により前記固定フレーム２０の各スライド部２６を滑動し、よって精確な直線作動を有する。
このほか、通電しない時、前記第１弾性支持部材４０と各第２弾性支持部材５０は即ち、前記レンズ装着筒３０が前記固定フレーム２０に対応し元の位置への復帰運動を行うために提供される。
さらに、前記防塵板７０の埃防止部７５は、埃または異物の前記荷重カバー８０への進入をより一層防ぎ、前記映像検知部品が汚れるのを防ぐ。
【００１５】
以上の実施の形態の説明より、本考案の特徴は以下に帰する。
１．本考案のボイスコイルモータ式フォーカシングアクチュエータは、固定フレームに対応し、レンズ装着筒がスムースに、そして正確に滑動することが可能で、フォーカシング精度を高め、故障率を低下させることができる。
２．本考案のボイスコイルモータ式フォーカシングアクチュエータは、レンズ装着筒と固定フレームとの間により好ましい弾性支持効果を提供し、さらに良好な弾力回復作用を備えさせる。
３．本考案のボイスコイルモータ式フォーカシングアクチュエータは、埃または異物の進入を防止できる防塵板を備えることが可能で、映像検知部品に対しより優れた防護効果をもたらすことができる。
【図面の簡単な説明】
【００１６】
【図１】本考案の実施の形態によるボイスコイルモータ式フォーカシングアクチュエータを組合せた状態を示す斜視図である。
【図２】図１中の２−２割線方向に沿った断面図である。
【図３】図１中の３−３割線方向に沿った断面図である。
【図４】本考案の実施の形態によるボイスコイルモータ式フォーカシングアクチュエータを分解した状態を示す斜視図である。
【図５】本考案の実施の形態によるボイスコイルモータ式フォーカシングアクチュエータをの局部を分解した状態を示す斜視図である。
【図６】本考案の実施の形態によるボイスコイルモータ式フォーカシングアクチュエータの部分構成部材を示す上面図である。
【図７】図６中の７−７割線方向に沿った断面図である。
【図８】図６中の８−８割線方向に沿った断面図である。
【符号の説明】
【００１７】
１０  保護キャップ、１１  底板、１２  逃がし孔、１３  第１側板、１４  第２側板、１６  嵌合板部、１８  端子接続溝、２０  固定フレーム、２１  フレーム本体、２２  収容スペース、２４  磁気設置部、２６  スライド部、２８  連結キャップ、２９  位置決め柱、３０  レンズ装着筒、３１  筒体、３２  レンズ装着部、３４  スライド部、３８  連結キャップ、４０  第１弾性支持部材、４１  弾性部、４２  連結孔、４３  連結部、４４  逃がし孔、５０  第２弾性支持部材、５１  弾性部、５２  連結孔、５３  連結孔、７０  防塵板、７１  板体、７２  逃がし孔、７３  連結孔、７４  位置決め溝、７５  埃防止部、８０  荷重カバー、８１  カバー本体、８２  逃がし孔、９０  導接端子、Ｃ１  コイル、Ｍ１  磁石、Ｍ２  磁石カバー板
【図１】
0003120599.tif 000003
【図２】
0003120599.tif 000004
【図３】
0003120599.tif 000005
【図４】
0003120599.tif 000006
【図５】
0003120599.tif 000007
【図６】
0003120599.tif 000008
【図７】
0003120599.tif 000009
【図８】
0003120599.tif 000010